(57)【要約】【課題】  洗浄カゴの昇降が可能なモップ洗浄装置を提供することを課題とする。【解決手段】  洗浄カゴの昇降が可能なモップ洗浄装置であって、水切りワイパー（３）と、大容器（１）と、小容器（２）と、大容器（１）と小容器（２）との間に設けられた昇降機構と、を含み、小容器（２）は昇降機構を介して大容器（１）に対して相対的に昇降し；前記小容器（２）が低位置にある時、大容器（１）の水位は小容器（２）の注水口（２０）よりも高く；前記小容器（２）が高位置にある時、大容器（１）の水位は小容器（２）の注水口（２０）よりも低く；前記水切りワイパー（３）は、大容器（１）又は／及び小容器（２）に設けられる。【選択図】図３
2021511851.tif 000002
【特許請求の範囲】
【請求項１】
水切りワイパーと、大容器と、小容器と、前記大容器と前記小容器との間に設けられた昇降機構と、を含み、前記小容器は前記昇降機構を介して前記大容器に対して相対的に昇降し；
前記小容器が低位置にある時、前記大容器の水位は、前記小容器の注水口よりも高く；前記小容器が高位置にある時、前記大容器の水位は、前記小容器の注水口よりも低く；
前記水切りワイパーは、前記大容器又は／及び前記小容器に設けられる、洗浄カゴの昇降が可能なモップ洗浄装置。
【請求項２】
前記小容器は、前記大容器内に設けられることを特徴とする、請求項１に記載の洗浄カゴの昇降が可能なモップ洗浄装置。
【請求項３】
前記小容器は、ホースを介して前記大容器に連通されることを特徴とする、請求項１に記載の洗浄カゴの昇降が可能なモップ洗浄装置。
【請求項４】
前記昇降機構は、前記大容器に対して固設された傾斜路と、前記小容器に設けられたスライドポールと、を含み、前記スライドポールが前記傾斜路に配置されることを特徴とする、請求項１に記載の洗浄カゴの昇降が可能なモップ洗浄装置。
【請求項５】
前記小容器の開口端に前記水切りワイパー及び水流出口が設けられ、前記水切りワイパーと水平線とのなす角は、鈍角であり、前記水切りワイパーが前記水流出口部に配置されることを特徴とする、請求項１に記載の洗浄カゴの昇降が可能なモップ洗浄装置。
【請求項６】
前記小容器に摺動溝が設けられ、前記水切りワイパーの両端は前記摺動溝に設けられ、モップが前記摺動溝に近い低位側に配置されるように前記摺動溝が斜めになることを特徴とする、請求項５に記載の洗浄カゴの昇降が可能なモップ洗浄装置。
【請求項７】
前記小容器の開口端にはテーパー状に広がるフレア部を有し、前記水流出口が前記フレア部に設けられ、前記水切りワイパーが前記水流出口部の上方に配置されることを特徴とする、請求項５に記載の洗浄カゴの昇降が可能なモップ洗浄装置。
【請求項８】
前記傾斜路は、大容器を一周するよう波状に設けられることを特徴とする、請求項４に記載の洗浄カゴの昇降が可能なモップ洗浄装置。
【請求項９】
前記傾斜路は、傾斜溝であることを特徴とする、請求項４又は８に記載の洗浄カゴの昇降が可能なモップ洗浄装置。
【発明の詳細な説明】
【技術分野】
【０００１】
本考案は、清掃用具技術分野に属し、洗浄カゴの昇降が可能なモップ洗浄装置に関する。
【背景技術】
【０００２】
中国特許公開（公告）番号第ＣＮ１０７４５６１８０Ａ号のフラット押出モップ清掃用具は、バケットと、フラットモップと、を含み、前記フラットモップがモップハンドルと、前記モップハンドル上に枢結されるフラットモップヘッドと、を含み、前記フラットモップヘッド上に拭布が設けられ、前記バケットは独立した水切り領域と、独立した洗い領域と、を備え、前記水切り領域と洗い領域がそれぞれ２つの異なる位置にあり；前記バケット上にモップリンガーが取り付けられ、洗いと水切り時前記フラットモップヘッドを回転されて洗いと水切り状態にし、かつ前記フラットモップヘッドとモップハンドルとの間が位置決め装置を介して前記フラットモップヘッドを洗いと水切り状態に維持させることができ；床を拭く時前記フラットモップヘッドは前記位置決め装置のから外れて回転して床を拭ける状態になる。
【０００３】
上記技術的手段でモップを洗い時、モップを洗い領域から水切り領域に移動する必要があり、転置時モップの液体が容易に飛び散り、したがって床の二次汚染を引き起こしていた。  
【発明の概要】
【発明が解決しようとする課題】
【０００４】
本考案の目的は、従来技術に存在する上記の欠陥や不足を克服するため、構造設計が合理的で、洗いと水切りを実現できる洗浄カゴの昇降が可能なモップ洗浄装置を提供することである。
【課題を解決するための手段】
【０００５】
本考案は、上記課題を解決するために、次の技術的手段を講じた。洗浄カゴの昇降が可能なモップ洗浄装置であって、水切りワイパーと、大容器と、小容器と、大容器と小容器との間に設けられた昇降機構と、を含み、小容器は昇降機構を介して大容器に対して相対的に昇降し；前記小容器が低位置にある時、大容器の水位は小容器の注水口よりも高く；前記小容器が高位置にある時、大容器の水位は小容器の注水口よりも低く；前記水切りワイパーは、大容器又は／及び小容器に設けられる。
【０００６】
さらに言えば、前記小容器は、大容器内に設けられる。
【０００７】
さらに言えば、前記小容器は、ホースを介して大容器に連通される。
【０００８】
さらに言えば、前記昇降機構は、大容器に対して固設された傾斜路と、小容器に設けられたスライドポールと、を含み、スライドポールが傾斜路に配置される。
【０００９】
さらに言えば、前記小容器の開口端に水切りワイパー及び水流出口が設けられ、水切りワイパーと水平線とのなす角は、鈍角であり、水切りワイパーが水流出口部に配置される。
【００１０】
さらに言えば、前記小容器に摺動溝が設けられ、前記水切りワイパーの両端は摺動溝に設けられ、モップが摺動溝に近い低位側に配置されるように摺動溝が斜めになる。
【００１１】
さらに言えば、前記小容器の開口端にはテーパー状に広がるフレア部を有し、水流出口が前記フレア部に設けられ、水切りワイパーが水流出口部の上方に配置される。
【００１２】
さらに言えば、前記傾斜路は、大容器を一周するよう波状に設けられる。
【００１３】
さらに言えば、前記傾斜路は、傾斜溝である。
【発明の効果】
【００１４】
本考案は、従来技術に対比すると、以下の利点を有する。本考案の使用時、モップは同じ領域にあると洗い及び水切りを実現することができ、従来技術に比べて転置する必要がないため、操作が便利で、清掃の効率が高い等の利点を有する。
【図面の簡単な説明】
【００１５】
【図１】本実施例の構造を示す図である。
【図２】図１に示すＡ−Ａ線断面図である。
【図３】図１に示すＢ−Ｂ線断面図である。
【図４】本実施例の小容器が低位置にある場合の構造を示す図である。
【図５】本実施例の小容器が高位置にある場合の構造を示す図である。
【図６】本実施例のスライドポール及び傾斜路での移動トラックの構造を示す図である。
【発明を実施するための形態】
【００１６】
以下、添付図面を基に、実施例を通じて本考案を詳細に説明する。下記実施例は、あくまでも本考案の技術内容を明らかにするものであって、本考案が下記実施例に限定されるものではない。
【実施例１】
【００１７】
図１乃至図６に示すように、本実施例に係る洗浄カゴの昇降が可能なモップ洗浄装置は、大容器１と、小容器２と、水切りワイパー３と、大容器１と小容器２との間に設けられた昇降機構と、を含み、小容器２が昇降機構を介して大容器１に対して昇降し；前記小容器２に注水口２０が設けられ、前記小容器２が低位置にある時、大容１の水位は、小容器２の注水口２０よりも高く、この場合大容器１から小容器２へ注水され；前記小容器２が高位置にある時、大容器１の水位は小容器２の注水口２０よりも低く、この場合大容器１から小容器２への注入が停止され；この時の小容器２は、洗浄バケツであり、モップヘッド４を小容器２に浸して洗い、その後モップヘッド４を水切りワイパー３で水を切るとモップヘッド４の液体を掻き取り、前記水切りワイパー３が大容器１又は小容器２に設けられる。
【００１８】
本実施例の前記小容器２は、大容器１内に設けられることが好ましい。小容器２が低位置にある時、大容器１の水は、注水口２０を経由して小容器２に直接注がれる。
【００１９】
本実施例の前記昇降機構は、大容器１に対して固設された傾斜路１１と、小容器２に設けられたスライドポール２２と、を含み、スライドポール２２が傾斜路１１に配置され、傾斜路１１のトラックに沿って移動し、前記小容器２が回転するとスライドポール２２がフレア部に沿って摺動して昇降する。使用者は、モップヘッド４を小容器２に入れ、モップハンドルを操作することによって小容器２を回転させることで、小容器２の昇降を実現する。
【００２０】
本実施例前記小容器２の開口端に水切りワイパー３及び水流出口２０’が設けられ、水切りワイパー３と水平線とのなす角αは鈍角であり、すなわち、水切りワイパー３は相対的に水平方向に傾斜し、モップヘッド４が下に移動すると、水切りワイパー３の上側における水が水切りワイパー３の上側に沿って水流出口２０’部に流れ、排水を加速させることができる。
【００２１】
本実施例の前記小容器２に摺動溝２１が設けられ、前記水切りワイパー３の両端は摺動溝２１が設けられ、モップが摺動溝２１に近い低位置側に配置されるように摺動溝２１が斜めになる。モップヘッド４が下に移動すると、水切りワイパー３は摺動溝２１に沿って下に移動して、モップヘッド４を押し付けて水切り；モップヘッド４は上に移動した時、水切りワイパー３は、モップヘッド４によって摩擦駆動されて摺動溝２１に沿って上がり、モップヘッド４を洗って引き上げることができる。
【００２２】
本実施例の前記小容器２の開口端にはテーパー状に広がるフレア部を有し、注水口２０が前記フレア部に配置され、水切りワイパー３が水流出口２０’部の上方に配置される。フレア部が設けられた後、水切りワイパー３と水流出口２０’とが鉛直方向に積層され、水切りワイパー３を流れる水が上から下へ水流出口２０’に流入する。また言及すべき点は、本実施例における前記水流出口２０’及び注水口２０は異なる部位にあり、必要がある時も同じ部位に設けてもよい。
【００２３】
本実施例の前記傾斜路１１は、大容器１を一周するよう波状に設けられる。小容器２の回転は循環の場合、前記小容器２がついでに循環的に昇降することができる。
【００２４】
本実施例の前記傾斜路１１は、傾斜溝である。前記傾斜溝は、上下２つのガードを有し、上方のガードがスライドポール２２に対し位置規制作用を有する。
【００２５】
本実施例の使用時、小容器２が低位置にある時、大容器１から小容器２へ注水し、その後モップハンドルを操作して小容器２を回転させ、小容器２を高位置まで上昇させ、モップヘッド４が小容器２内の水を吸い込み、モップヘッド４と水切りワイパー３とが相対的に移動し、水切りワイパー３がモップヘッド４の液体を掻き取ることで、水切りを実現する。
【実施例２】
【００２６】
本考案の別の実施形態は、小容器２がホースを介して大容器１の注水口２０に連通することである。小容器２が低位置にある時、大容器１の水はホースを通じて小容器２に注ぎ、その構造を採用した場合、小容器２を大容器１の横に配置することができる。
【００２７】
本明細書内で記載されている具体的実施例は、あくまでも本考案の技術内容を明らかにするものである。当業者であれば、本考案の具体的実施例に様々な修正又は補足を加え或いは類似した方式で置換することができ、かつかかる変更や修正が本考案の明細書内容から逸脱することがない場合、若しくは本願の特許請求の範囲で定義される範囲を超えない場合、本考案の保護範囲に網羅される。
【図１】
2021511851.tif 000003
【図２】
2021511851.tif 000004
【図３】
2021511851.tif 000005
【図４】
2021511851.tif 000006
【図５】
2021511851.tif 000007
【図６】
2021511851.tif 000008
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
水切りワイパー（３）と、大容器（１）と、小容器（２）と、前記大容器（１）と前記小容器（２）との間に設けられた昇降機構と、を含み、前記小容器（２）は前記昇降機構を介して前記大容器（１）に対して相対的に昇降し；
前記小容器（２）が低位置にある時、前記大容器（１）の水位は、前記小容器（２）の注水口（２０）よりも高く；前記小容器（２）が高位置にある時、前記大容器（１）の水位は、前記小容器（２）の注水口（２０）よりも低く；
前記水切りワイパー（３）は、前記大容器（１）又は／及び前記小容器（２）に設けられる、洗浄カゴの昇降が可能なモップ洗浄装置。
【請求項２】
前記小容器（２）は、前記大容器（１）内に設けられることを特徴とする、請求項１に記載の洗浄カゴの昇降が可能なモップ洗浄装置。
【請求項３】
前記小容器（２）は、ホースを介して前記大容器（１）に連通されることを特徴とする、請求項１に記載の洗浄カゴの昇降が可能なモップ洗浄装置。
【請求項４】
前記昇降機構は、前記大容器（１）に対して固設された傾斜路と、前記小容器（２）に設けられたスライドポール（２２）と、を含み、前記スライドポール（２２）が前記傾斜路に配置されることを特徴とする、請求項１に記載の洗浄カゴの昇降が可能なモップ洗浄装置。
【請求項５】
前記小容器（２）の開口端に前記水切りワイパー（３）及び水流出口（２０’）が設けられ、前記水切りワイパー（３）と水平線とのなす角は、鈍角であり、前記水切りワイパー（３）が前記水流出口（２０’）部に配置されることを特徴とする、請求項１に記載の洗浄カゴの昇降が可能なモップ洗浄装置。
【請求項６】
前記小容器（２）に摺動溝（２１）が設けられ、前記水切りワイパー（３）の両端は前記摺動溝（２１）に設けられ、モップが前記摺動溝（２１）に近い低位側に配置されるように前記摺動溝（２１）が斜めになることを特徴とする、請求項５に記載の洗浄カゴの昇降が可能なモップ洗浄装置。
【請求項７】
前記小容器（２）の開口端にはテーパー状に広がるフレア部を有し、前記水流出口（２０’）が前記フレア部に設けられ、前記水切りワイパー（３）が前記水流出口（２０’）部の上方に配置されることを特徴とする、請求項５に記載の洗浄カゴの昇降が可能なモップ洗浄装置。
【請求項８】
前記傾斜路は、大容器（１）を一周するよう波状に設けられることを特徴とする、請求項４に記載の洗浄カゴの昇降が可能なモップ洗浄装置。
【請求項９】
前記傾斜路は、傾斜溝であることを特徴とする、請求項４又は８に記載の洗浄カゴの昇降が可能なモップ洗浄装置。
【手続補正２】
【補正対象書類名】明細書
【補正対象項目名】全文
【補正方法】変更
【補正の内容】
【発明の詳細な説明】
【技術分野】
【０００１】
本発明は、清掃用具技術分野に属し、洗浄カゴの昇降が可能なモップ洗浄装置に関する。
【背景技術】
【０００２】
特許文献１のフラット押出モップ清掃用具は、バケットと、フラットモップと、を含み、前記フラットモップがモップハンドルと、前記モップハンドル上に枢結されるフラットモップヘッドと、を含み、前記フラットモップヘッド上に拭布が設けられ、前記バケットは独立した水切り領域と、独立した洗い領域と、を備え、前記水切り領域と洗い領域がそれぞれ２つの異なる位置にあり；前記バケット上にモップリンガーが取り付けられ、洗いと水切り時前記フラットモップヘッドを回転されて洗いと水切り状態にし、かつ前記フラットモップヘッドとモップハンドルとの間が位置決め装置を介して前記フラットモップヘッドを洗いと水切り状態に維持させることができ；床を拭く時前記フラットモップヘッドは前記位置決め装置のから外れて回転して床を拭ける状態になる。
【０００３】
上記技術的手段でモップを洗い時、モップを洗い領域から水切り領域に移動する必要があり、転置時モップの液体が容易に飛び散り、したがって床の二次汚染を引き起こしていた。
【先行技術文献】
【特許文献】
【０００４】
【特許文献１】中国特許公開（公告）番号第ＣＮ１０７４５６１８０Ａ号
【発明の概要】
【発明が解決しようとする課題】
【０００５】
本発明の目的は、従来技術に存在する上記の欠陥や不足を克服するため、構造設計が合理的で、洗いと水切りを実現できる洗浄カゴの昇降が可能なモップ洗浄装置を提供することである。
【課題を解決するための手段】
【０００６】
本発明は、上記課題を解決するために、次の技術的手段を講じた。洗浄カゴの昇降が可能なモップ洗浄装置であって、水切りワイパーと、大容器と、小容器と、大容器と小容器との間に設けられた昇降機構と、を含み、小容器は昇降機構を介して大容器に対して相対的に昇降し；前記小容器が低位置にある時、大容器の水位は小容器の注水口よりも高く；前記小容器が高位置にある時、大容器の水位は小容器の注水口よりも低く；前記水切りワイパーは、大容器又は／及び小容器に設けられる。
【０００７】
さらに言えば、前記小容器は、大容器内に設けられる。
【０００８】
さらに言えば、前記小容器は、ホースを介して大容器に連通される。
【０００９】
さらに言えば、前記昇降機構は、大容器に対して固設された傾斜路と、小容器に設けられたスライドポールと、を含み、スライドポールが傾斜路に配置される。
【００１０】
さらに言えば、前記小容器の開口端に水切りワイパー及び水流出口が設けられ、水切りワイパーと水平線とのなす角は、鈍角であり、水切りワイパーが水流出口部に配置される。
【００１１】
さらに言えば、前記小容器に摺動溝が設けられ、前記水切りワイパーの両端は摺動溝に設けられ、モップが摺動溝に近い低位側に配置されるように摺動溝が斜めになる。
【００１２】
さらに言えば、前記小容器の開口端にはテーパー状に広がるフレア部を有し、水流出口が前記フレア部に設けられ、水切りワイパーが水流出口部の上方に配置される。
【００１３】
さらに言えば、前記傾斜路は、大容器を一周するよう波状に設けられる。
【００１４】
さらに言えば、前記傾斜路は、傾斜溝である。
【発明の効果】
【００１５】
本発明は、従来技術に対比すると、以下の利点を有する。本発明の使用時、モップは同じ領域にあると洗い及び水切りを実現することができ、従来技術に比べて転置する必要がないため、操作が便利で、清掃の効率が高い等の利点を有する。
【図面の簡単な説明】
【００１６】
【図１】本実施例の構造を示す図である。
【図２】図１に示すＡ−Ａ線断面図である。
【図３】図１に示すＢ−Ｂ線断面図である。
【図４】本実施例の小容器が低位置にある場合の構造を示す図である。
【図５】本実施例の小容器が高位置にある場合の構造を示す図である。
【図６】本実施例のスライドポール及び傾斜路での移動トラックの構造を示す図である。
【発明を実施するための形態】
【００１７】
以下、添付図面を基に、実施例を通じて本発明を詳細に説明する。下記実施例は、あくまでも本発明の技術内容を明らかにするものであって、本発明が下記実施例に限定されるものではない。
【実施例１】
【００１８】
図１乃至図６に示すように、本実施例に係る洗浄カゴの昇降が可能なモップ洗浄装置は、大容器１と、小容器２と、水切りワイパー３と、大容器１と小容器２との間に設けられた昇降機構と、を含み、小容器２が昇降機構を介して大容器１に対して昇降し；前記小容器２に注水口２０が設けられ、前記小容器２が低位置にある時、大容１の水位は、小容器２の注水口２０よりも高く、この場合大容器１から小容器２へ注水され；前記小容器２が高位置にある時、大容器１の水位は小容器２の注水口２０よりも低く、この場合大容器１から小容器２への注入が停止され；この時の小容器２は、洗浄バケツであり、モップヘッド４を小容器２に浸して洗い、その後モップヘッド４を水切りワイパー３で水を切るとモップヘッド４の液体を掻き取り、前記水切りワイパー３が大容器１又は小容器２に設けられる。
【００１９】
本実施例の前記小容器２は、大容器１内に設けられることが好ましい。小容器２が低位置にある時、大容器１の水は、注水口２０を経由して小容器２に直接注がれる。
【００２０】
本実施例の前記昇降機構は、大容器１に対して固設された傾斜路１１と、小容器２に設けられたスライドポール２２と、を含み、スライドポール２２が傾斜路１１に配置され、傾斜路１１のトラックに沿って移動し、前記小容器２が回転するとスライドポール２２がフレア部に沿って摺動して昇降する。使用者は、モップヘッド４を小容器２に入れ、モップハンドルを操作することによって小容器２を回転させることで、小容器２の昇降を実現する。
【００２１】
本実施例前記小容器２の開口端に水切りワイパー３及び水流出口２０’が設けられ、水切りワイパー３と水平線とのなす角αは鈍角であり、すなわち、水切りワイパー３は相対的に水平方向に傾斜し、モップヘッド４が下に移動すると、水切りワイパー３の上側における水が水切りワイパー３の上側に沿って水流出口２０’部に流れ、排水を加速させることができる。
【００２２】
本実施例の前記小容器２に摺動溝２１が設けられ、前記水切りワイパー３の両端は摺動溝２１が設けられ、モップが摺動溝２１に近い低位置側に配置されるように摺動溝２１が斜めになる。モップヘッド４が下に移動すると、水切りワイパー３は摺動溝２１に沿って下に移動して、モップヘッド４を押し付けて水切り；モップヘッド４は上に移動した時、水切りワイパー３は、モップヘッド４によって摩擦駆動されて摺動溝２１に沿って上がり、モップヘッド４を洗って引き上げることができる。
【００２３】
本実施例の前記小容器２の開口端にはテーパー状に広がるフレア部を有し、水流出口２０’が前記フレア部に配置され、水切りワイパー３が水流出口２０’部の上方に配置される。フレア部が設けられた後、水切りワイパー３と水流出口２０’とが鉛直方向に積層され、水切りワイパー３を流れる水が上から下へ水流出口２０’に流入する。また言及すべき点は、本実施例における前記水流出口２０’及び注水口２０は異なる部位にあり、必要がある時も同じ部位に設けてもよい。
【００２４】
本実施例の前記傾斜路１１は、大容器１を一周するよう波状に設けられる。小容器２の回転は循環の場合、前記小容器２がついでに循環的に昇降することができる。
【００２５】
本実施例の前記傾斜路１１は、傾斜溝である。前記傾斜溝は、上下２つのガードを有し、上方のガードがスライドポール２２に対し位置規制作用を有する。
【００２６】
本実施例の使用時、小容器２が低位置にある時、大容器１から小容器２へ注水し、その後モップハンドルを操作して小容器２を回転させ、小容器２を高位置まで上昇させ、モップヘッド４が小容器２内の水を吸い込み、モップヘッド４と水切りワイパー３とが相対的に移動し、水切りワイパー３がモップヘッド４の液体を掻き取ることで、水切りを実現する。
【実施例２】
【００２７】
本発明の別の実施形態は、小容器２がホースを介して大容器１の注水口２０に連通することである。小容器２が低位置にある時、大容器１の水はホースを通じて小容器２に注ぎ、その構造を採用した場合、小容器２を大容器１の横に配置することができる。
【００２８】
本明細書内で記載されている具体的実施例は、あくまでも本発明の技術内容を明らかにするものである。当業者であれば、本発明の具体的実施例に様々な修正又は補足を加え或いは類似した方式で置換することができ、かつかかる変更や修正が本発明の明細書内容から逸脱することがない場合、若しくは本願の特許請求の範囲で定義される範囲を超えない場合、本発明の保護範囲に網羅される。
【符号の説明】
【００２９】
１          大容器
１１        傾斜路
２          小容器
２０        注水口
２０’      水流出口
２１        摺動溝
２２        スライドポール
３          水切りワイパー
４          モップヘッド
【手続補正３】
【補正対象書類名】図面
【補正対象項目名】全図
【補正方法】変更
【補正の内容】
【図１】
2021511851.tif 000009
【図２】
2021511851.tif 000010
【図３】
2021511851.tif 000011
【図４】
2021511851.tif 000012
【図５】
2021511851.tif 000013
【図６】
2021511851.tif 000014
【国際調査報告】
2021511851.tif 000015
2021511851.tif 000016
2021511851.tif 000017
2021511851.tif 000018